(57)【要約】【課題】  ミスト噴霧装置の給水ラインへの誤接続を自動的に検知することができるミストサウナ機能付き浴室暖房乾燥機を提供すること。【解決手段】  浴室に温風を供給するための暖房乾燥機本体２と、浴室に温水をミスト状に噴霧するためのミスト噴霧装置４と、加熱用の温水を生成するための熱源機６と、を具備する浴室暖房乾燥機。ミスト噴霧装置４は、ミスト用熱交換器１２と、温水を噴霧する噴霧ノズル７０と、ミスト用熱交換器１２からの温水を噴霧ノズルに供給する噴霧用温水供給ライン６８と、噴霧用温水供給ライン６８から分岐する排水ラインと、を備えている。ミストサウナ運転の開始時にミスト用熱交換器１２内の水を排水する排水運転が行われ、この排水運転において、排水ライン７４を通して排水される水の温度が設定異常温度を超えると、誤接続検知手段は接続異常と検知する。【選択図】  図１
2008241058.tif 000002
【特許請求の範囲】
【請求項１】
浴室に温風を供給するための暖房乾燥機本体と、浴室に温水をミスト状に噴霧するためのミスト噴霧装置と、前記暖房乾燥機本体及び前記ミスト噴霧装置に用いる加熱用の温水を生成するための熱源機と、前記熱源機からの温水を前記暖房乾燥機本体を通して循環するための暖房用温水ラインと、前記熱源機からの温水を前記ミスト噴霧装置を通して循環するためのミスト用温水ラインと、を具備しており、
前記ミスト噴霧装置は、給水ラインを通して供給される水と前記ミスト用温水ラインを通して循環される温水との間で熱交換を行うミスト用熱交換器と、温水を噴霧する噴霧ノズルと、前記ミスト用熱交換器にて生成された温水を噴霧ノズルに供給する噴霧用温水供給ラインと、前記噴霧用温水供給ラインから分岐する排水ラインと、を備えており、
前記噴霧用温水供給ラインの前記排水ラインとの接続部と前記噴霧ノズルとの間にはミスト弁が配設され、前記給水ラインには給水弁が配設され、前記排水ラインには排水弁が配設され、また前記ミスト用温水ラインにはミスト用制御弁が配設されており、
更に、前記ミスト噴霧装置に関連して、前記給水ラインへの誤接続を検知するための誤接続検知手段が設けられており、
前記ミスト用熱交換器内の水を排水する排水運転中において、前記排水ラインを通して排水される水の温度が設定異常温度を超えると、前記誤接続検知手段は接続異常と検知することを特徴とするミストサウナ機能付き浴室暖房乾燥機。
【請求項２】
前記ミスト噴霧装置の運転開始時に、前記ミスト用熱交換器内の水を排水する排水運転が行われ、この排水運転においては、前記給水弁及び前記排水弁は開状態に保持されるとともに、前記ミスト弁は閉状態に保持され、前記排水運転において前記排水ラインを通して排水される水の温度が前記設定異常温度を超えると、前記誤接続検知手段は接続異常と検知して接続異常信号を生成し、前記接続異常信号に基づいて前記給水弁が閉状態となることを特徴とする請求項１に記載のミストサウナ機能付き浴室暖房乾燥機。
【請求項３】
浴室に温風を供給するための暖房乾燥機本体と、浴室に温水をミスト状に噴霧するためのミスト噴霧装置と、前記暖房乾燥機本体及び前記ミスト噴霧装置に用いる加熱用の温水を生成するための熱源機と、前記熱源機からの温水を前記暖房乾燥機本体を通して循環するための暖房用温水ラインと、前記熱源機からの温水を前記ミスト噴霧装置を通して循環するためのミスト用温水ラインと、を具備しており、
前記ミスト噴霧装置は、給水ラインを通して供給される水と前記ミスト用温水ラインを通して循環される温水との間で熱交換を行うミスト用熱交換器と、温水を噴霧する噴霧ノズルと、前記ミスト用熱交換器にて生成された温水を噴霧ノズルに供給する噴霧用温水供給ラインと、を備えており、
前記噴霧用温水供給ラインにはミスト弁が配設され、前記給水ラインには給水弁が配設され、また前記ミスト用温水ラインにはミスト用制御弁が配設されており、
更に、前記ミスト噴霧装置に関連して、前記給水ラインへの誤接続を検知するための誤接続検知手段が設けられており、
前記噴霧ノズルからミストを噴霧するミスト温度制御運転において、前記ミスト用制御弁の閉状態が所定時間継続して保持された後における前記噴霧用温水供給ラインの温水の温度が設定異常温度を超えていると、前記誤接続検知手段は接続異常と検知することを特徴とするミストサウナ機能付き浴室暖房乾燥機。
【請求項４】
前記ミスト温度制御運転においては、前記給水弁及び前記ミスト弁は開状態に保持されるとともに、前記ミスト用制御弁は、浴室の温度が設定温度以下のときには開状態に、また浴室温度が前記設定温度を超えると閉状態に保持され、前記ミスト温度制御運転において、浴室の温度が前記設定温度を超えると、前記ミスト用制御弁が閉状態に保持され、前記ミスト用制御弁の閉状態が前記所定時間継続して保持された後における前記噴霧用温水供給ラインの温水の温度が前記設定異常温度を超えていると、前記誤接続検知手段は接続異常と検知して接続異常信号を生成し、前記接続異常信号に基づいて前記給水弁が閉状態となることを特徴とする請求項３に記載のミストサウナ機能付き浴室暖房乾燥機。
【発明の詳細な説明】
【技術分野】
【０００１】
本発明は、浴室内に温水をミスト状に噴霧するミストサウナ機能を有する浴室暖房乾燥機に関する。
【背景技術】
【０００２】
近年、家庭の浴室でサウナ効果が得られるように、浴室を暖房する浴室暖房乾燥機にミストサウナ機能を持たせたものが提案されている（例えば、特許文献１参照）。このミストサウナ機能付き浴室暖房乾燥機は、浴室に温風を供給するための暖房乾燥機本体と、浴室に温水をミスト状に噴霧するためのミスト噴霧装置と、加熱用の温水を生成するための熱源機とを備え、熱源機にて生成された温水が、暖房用温水ラインを通して暖房乾燥機本体に供給されるとともに、ミスト用温水ラインを介してミスト噴霧装置に供給される。
【０００３】
ミスト噴霧装置は加熱用のミスト用熱交換器を備え、このミスト用熱交換器の一次側にミスト用温水ラインが接続され、その二次側に給水ライン及び噴霧用温水供給ラインが接続される。噴霧用温水供給ラインには噴霧ノズルが配設され、噴霧ノズルは供給された温水をミスト状に噴霧する。この噴霧用温水供給ラインには、ノズル弁の配設部位より上流側に排水ラインが接続される。
【０００４】
この種の浴室暖房乾燥機を設置する際に、熱源機として給湯機能付き熱源機を用いることがあり、このような熱源機を用いた場合、その温水出力部に暖房用温水ライン及びミスト用温水ラインが接続され、熱源機からの温水（例えば、８０℃の温水）が暖房用温水ラインを介して暖房乾燥機本体の温風用熱交換器に供給され、またミスト用温水ラインを介してミスト噴霧装置のミスト用熱交換器に供給される。また、給水ラインは、例えば水道管に接続され、水道管からの水道水がミスト用熱交換器に供給される。ミスト用熱交換器においては、給水ラインからの水道水とミスト用温水ラインを流れる温水との間で熱交換が行われ、熱交換により温められた温水が噴霧用温水ラインを通して噴霧ノズルに供給され、この噴霧ノズルからミスト状となって浴室内に噴霧される。
【０００５】
【特許文献１】特開２００５−２４１２２３号公報
【発明の開示】
【発明が解決しようとする課題】
【０００６】
このような給湯機能付き熱源機には、温水（例えば、８０℃の温水）を出力する循環温水出力部と、給湯を行うための給湯出力部が設けられ、暖房用温水ライン及びミスト用温水ラインが熱源機の循環温水出力部に接続される。また、ミスト噴霧装置の給水ラインに水道管が接続される。
【０００７】
ところが、この浴室暖房乾燥機の設置作業において、作業者がミスト噴霧装置の給水ラインに誤って熱源機の給湯出力部を接続するおそれがある。このような誤接続が生じると、熱源機の給湯出力部（即ち、給湯管）からのお湯が給水ラインを通してミスト噴霧装置のミスト用熱交換器に供給され、更に噴霧用温水供給ラインを通して噴霧ノズルに供給され、噴霧ノズルから給湯水（例えば、６０℃の温水）がミスト状に噴霧されるようになる。
【０００８】
一般的に、ミストサウナでは浴室の温度は４０℃程度が好ましく、誤接続により約６０℃前後のお湯が常に供給されると、浴室の温度調整がうまくいかず、浴室内の温度が不安定となり、入浴者にとって快適なミストサウナ空間が得られない。
【０００９】
従来の浴室暖房乾燥機においては、ミスト噴霧装置の給水ラインへの誤接続を検知するための検知手段が装備されておらず、従って、入浴者が誤接続に気付いたときには正しい接続状態に直して使用することができるが、入浴者が誤接続に気付かないときには誤接続の状態で使用し続けることになる。
【００１０】
本発明の目的は、ミスト噴霧装置の給水ラインへの誤接続を自動的に検知することができるミストサウナ機能付き浴室暖房乾燥機を提供することである。
【課題を解決するための手段】
【００１１】
本発明の請求項１に記載のミストサウナ機能付き浴室暖房乾燥機は、浴室に温風を供給するための暖房乾燥機本体と、浴室に温水をミスト状に噴霧するためのミスト噴霧装置と、前記暖房乾燥機本体及び前記ミスト噴霧装置に用いる加熱用の温水を生成するための熱源機と、前記熱源機からの温水を前記暖房乾燥機本体を通して循環するための暖房用温水ラインと、前記熱源機からの温水を前記ミスト噴霧装置を通して循環するためのミスト用温水ラインと、を具備しており、
前記ミスト噴霧装置は、給水ラインを通して供給される水と前記ミスト用温水ラインを通して循環される温水との間で熱交換を行うミスト用熱交換器と、温水を噴霧する噴霧ノズルと、前記ミスト用熱交換器にて生成された温水を噴霧ノズルに供給する噴霧用温水供給ラインと、前記噴霧用温水供給ラインから分岐する排水ラインと、を備えており、
前記噴霧用温水供給ラインの前記排水ラインとの接続部と前記噴霧ノズルとの間にはミスト弁が配設され、前記給水ラインには給水弁が配設され、前記排水ラインには排水弁が配設され、また前記ミスト用温水ラインにはミスト用制御弁が配設されており、
更に、前記ミスト噴霧装置に関連して、前記給水ラインへの誤接続を検知するための誤接続検知手段が設けられており、
前記ミスト用熱交換器内の水を排水する排水動作中において、前記排水ラインを通して排水される水の温度が設定異常温度を超えると、前記誤接続検知手段は接続異常と検知することを特徴とする。
【００１２】
また、本発明の請求項２に記載のミストサウナ機能付き浴室暖房乾燥機では、前記ミスト噴霧装置の運転開始時に、前記ミスト用熱交換器内の水を排水する排水運転が行われ、この排水運転においては、前記給水弁及び前記排水弁は開状態に保持されるとともに、前記ミスト弁は閉状態に保持され、前記排水運転において前記排水ラインを通して排水される水の温度が前記設定異常温度を超えると、前記誤接続検知手段は接続異常と検知して接続異常信号を生成し、前記接続異常信号に基づいて前記給水弁が閉状態となることを特徴とする。
【００１３】
また、本発明の請求項３に記載のミストサウナ機能付き浴室暖房乾燥機は、浴室に温風を供給するための暖房乾燥機本体と、浴室に温水をミスト状に噴霧するためのミスト噴霧装置と、前記暖房乾燥機本体及び前記ミスト噴霧装置に用いる加熱用の温水を生成するための熱源機と、前記熱源機からの温水を前記暖房乾燥機本体を通して循環するための暖房用温水ラインと、前記熱源機からの温水を前記ミスト噴霧装置を通して循環するためのミスト用温水ラインと、を具備しており、
前記ミスト噴霧装置は、給水ラインを通して供給される水と前記ミスト用温水ラインを通して循環される温水との間で熱交換を行うミスト用熱交換器と、温水を噴霧する噴霧ノズルと、前記ミスト用熱交換器にて生成された温水を噴霧ノズルに供給する噴霧用温水供給ラインと、を備えており、
前記噴霧用温水供給ラインにはミスト弁が配設され、前記給水ラインには給水弁が配設され、また前記ミスト用温水ラインにはミスト用制御弁が配設されており、
更に、前記ミスト噴霧装置に関連して、前記給水ラインへの誤接続を検知するための誤接続検知手段が設けられており、
前記噴霧ノズルからミストを噴霧するミスト温度制御運転において、前記ミスト用制御弁の閉状態が所定時間継続して保持された後における前記噴霧用温水供給ラインの温水の温度が設定異常温度を超えていると、前記誤接続検知手段は接続異常と検知することを特徴とする。
【００１４】
更に、本発明の請求項４に記載のミストサウナ機能付き浴室暖房乾燥機では、前記ミスト温度制御運転においては、前記給水弁及び前記ミスト弁は開状態に保持されるとともに、前記ミスト用制御弁は、浴室の温度が設定温度以下のときには開状態に、また浴室温度が前記設定温度を超えると閉状態に保持され、前記ミスト温度制御運転において、浴室の温度が前記設定温度を超えると、前記ミスト用制御弁が閉状態に保持され、前記ミスト用制御弁の閉状態が前記所定時間継続して保持された後における前記噴霧用温水供給ラインの温水の温度が前記設定異常温度を超えていると、前記誤接続検知手段は接続異常と検知して接続異常信号を生成し、前記接続異常信号に基づいて前記給水弁が閉状態となることを特徴とする。
【発明の効果】
【００１５】
本発明の請求項１に記載のミストサウナ機能付き浴室暖房乾燥機によれば、誤接続検知手段は、ミスト用熱交換器内の水を排水する排水動作中において誤接続を検知する。この排水動作中においては、ミスト用熱交換器内の水が噴霧用温水供給ライン及び排水ラインを通して外部に排水され、これに伴って給水ラインを通して水（例えば、水道水）がミスト用熱交換器に供給される。一方、この給水ラインに熱源機の給湯出力部（即ち、給湯管）が接続されている場合には、排水動作を行うことにより、熱源機からの給湯水（例えば、６０℃の温水）が供給され、噴霧用温水供給ライン及び排水ラインを流れる水はお湯となる。
【００１６】
このようなことから、設定異常温度として水の温度よりも高く且つ給湯水の温度（例えば６０℃）よりも低い温度、例えば４５℃程度が設定され、噴霧用温水供給ライン及び排水ラインを通して排水される水の温度がこの設定異常温度を超えると、誤接続検知手段は接続異常と検知し、このようにして排水動作を利用して給水ラインへの誤接続を自動的に検知することができる。
【００１７】
また、本発明の請求項２に記載のミストサウナ機能付き浴室暖房乾燥機によれば、ミスト噴霧装置の運転開始時に排水運転が行われ、この排水運転において、ミスト用熱交換器内の水が噴霧用温水供給ライン及び排水ラインを通して外部に排水される。そして、この排水運転において、噴霧用温水供給ライン及び排水ラインを通して排水される水の温度がこの設定異常温度を超えると、給水ラインに熱源機の給湯出力部が接続されているということであり、このような場合、誤接続検知手段は接続異常と検知して接続異常信号を生成し、この接続異常信号に基づいて給水弁が閉状態となり、排水ラインを通しての水の排水が停止される。
【００１８】
また、本発明の請求項３に記載のミストサウナ機能付き浴室暖房乾燥機によれば、誤接続検知手段は、噴霧ノズルからミストを噴霧するミスト温度制御運転において誤接続を検知する。このミスト温度制御運転においては、浴室内の温度に基づいてミスト用制御弁の開閉制御が行われ、ミスト用制御弁の開状態においては、熱源機からの温水がミスト用熱交換器に供給され、このミスト用熱交換器にて給水ラインからの水が加温されるが、ミスト用制御弁が閉状態のときには、熱源機からの温水がミスト用熱交換器に供給されず、給水ラインからの水がミスト用熱交換器にてほとんど加熱されることがなく、この給水ラインからの水がそのまま噴霧用温水供給ラインを通して噴霧ノズルに供給される。
【００１９】
給水ラインからの水がこのように噴霧用温水供給ラインに供給されるので、給水ラインに正常に接続されている場合には、ミスト用制御弁が閉状態になると、給水ラインからの水がミスト用熱交換器を通して噴霧用温水供給ラインに送給されるようになり、この噴霧用温水供給ラインを通して送給される温水の温度が次第に低下する。一方、熱源機の給湯出力部が給水ラインに接続されている場合には、ミスト用制御弁が閉状態になると、熱源機の給湯出力部からの給湯水がミスト用熱交換器を通して噴霧用温水供給ラインに送給されるようになり、この噴霧用温水供給ラインを通して送給される温水の温度はほとんど低下することがない。
【００２０】
このようなことから、設定異常温度として水の温度よりも高く且つ給湯水の温度（例えば６０℃）よりも低い温度、例えば４５℃程度が設定され、ミスト温度制御運転におけるミスト用制御弁が閉状態に所定時間継続して保持された後の噴霧用温水供給ラインの水の温度がこの設定異常温度を超えていると、誤接続検知手段は接続異常と検知し、このようにしてミスト温度制御運転を利用して給水ラインへの誤接続を自動的に検知することができる。
【００２１】
更に、本発明の請求項４に記載のミストサウナ機能付き浴室暖房乾燥機によれば、ミスト温度制御運転においては、給水弁及びミスト弁は開状態に保持されるとともに、ミスト用制御弁は、浴室の温度が設定温度以下のときには開状態に、浴室温度が設定温度を超えると閉状態に保持される。そして、このミスト温度制御運転において、ミスト用制御弁の閉状態が所定時間継続して保持され、この所定時間経過後における噴霧用温水供給ラインの温水の温度が設定異常温度を超えていると、給水ラインに熱源機の給湯出力部が接続されているということであり、このような場合、上述したと同様に、誤接続検知手段は接続異常と検知して接続異常信号を生成し、この接続異常信号に基づいて給水弁が閉状態となり、排水ラインを通しての水の排水が停止される。
【発明を実施するための最良の形態】
【００２２】
以下、添付図面を参照して、本発明に従うミストサウナ機能付き浴室暖房乾燥機の一実施形態について説明する。図１は、一実施形態の浴室暖房乾燥機を簡略的に示すシステム図であり、図２は、図１の浴室暖房乾燥機の制御系を簡略的に示すブロック図であり、図３は、図１の浴室暖房乾燥機におけるミスト噴霧装置の排水動作中における時間と排水される水の温度との関係を示す図であり、図４は、ミスト噴霧装置のミスト温度制御運転においてミスト用制御弁が閉状態に保持された時間と噴霧用温水供給ラインに供給される温水の温度との関係を示す図であり、図５は、排水動作時における制御の流れを示すフローチャートであり、図６は、ミスト温度制御運転における制御の流れを示すフローチャートである。
【００２３】
図１及び図２において、図示のミストサウナ機能付き浴室暖房乾燥機は、浴室に温風を供給するための暖房乾燥機本体２と、浴室にミストを噴霧するためのミスト噴霧装置４と、温水を生成するための熱源機６とから構成され、暖房乾燥機本体２及びミスト噴霧装置４は浴室に設置され、熱源機６は例えば浴室に隣接した屋外に設置される。暖房乾燥機本体２は、温水を利用して空気を加温するための暖房用熱交換器８と、浴室内の空気を暖房用熱交換器８の周囲を通して循環するための循環ファン１０と備えている。また、ミスト噴霧装置４は、温水を利用して水を加温するためのミスト用熱交換器１２を備えている。
【００２４】
熱源機６は、例えば給湯機能付き熱交換器から構成され、熱交換により温水を生成するための加熱用熱交換器１４を備え、この加熱用熱交換器１４の出力部に供給側ライン１６が接続され、その入力部に戻り側ライン１８が接続されている。供給側ライン１６には循環温水用開閉弁２０及び第１温度センサ２２が配設され、循環温水用開閉弁２０は、循環温水出力部２４から供給される温水（例えば、８０℃の温水）の供給、供給停止を制御し、この循環温水出力部２４から温水が供給される。また、第１温度センサ２２は、この循環温水出力部２４から供給される温水の温度を検知する。
【００２５】
戻り側ライン１８には、循環ポンプ２６、温水膨張タンク２８及び第２温度センサ３０が配設されている。循環ポンプ２６は、熱源機６と暖房乾燥機本体２及びミスト噴霧装置４との間を通して温水を循環させるためのものであり、この実施形態では温水膨張タンク２８の下流側に配設される。また、温水膨張タンク２８は加温により膨張する温水の体積増加を吸収し、更に、第２温度センサ３０は戻り入力部３１から戻される温水の温度を検知する。
【００２６】
この熱源機６では、供給側ライン１６（具体的には、循環温水用開閉弁２０より上流側の部位）と戻り側ライン１８（具体的には、温水膨張タンク２８より上流側の部位）との間にバイパスライン３２が配設され、供給側ライン１６を通して流れる温水の一部がバイパスライン３２を通して戻り側ライン１８に送給され、かく送給された温水が戻り側ライン１８を流れる温水に混合されるように構成されている。
【００２７】
この熱源機６では、更に、加熱用熱交換器１４に関連して、燃焼バーナ４２が設けられ、この燃焼バーナ４２の燃焼熱を利用して、加熱用熱交換器１４を流れる温水が加熱されて温水が生成され、かく生成された温水が供給側ライン１６を通して供給される。
【００２８】
暖房乾燥機本体２及びミスト噴霧装置４と熱源機６とは、温水供給ライン４６及び温水戻りライン４８を介して接続されている。この形態では、温水供給ライン４６の一端側は熱源機６の循環温水出力部２４に接続され、その他端側は二つに分岐され、一方の温水分岐供給ライン５０は暖房乾燥機本体２の暖房用熱交換器８の入力部に接続され、他方の温水分岐供給ライン５２はミスト噴霧装置４のミスト用熱交換器１２の一次側の入力部に接続される。また、温水戻りライン４８の一端側は熱源機６の戻り入力部３１に接続され、その他端側は二つに分岐され、一方の温水分岐戻りライン５４は暖房用熱交換器８の出力部に接続され、他方の温水分岐戻りライン５６はミスト用熱交換器１２の出力部に接続される。このように接続されるので、温水供給ライン４６、温水分岐供給ライン５０、温水分岐戻りライン５４及び温水戻りライン４８が、熱源機６からの温水を暖房乾燥機本体８の暖房用熱交換器８を通して循環するための暖房用温水ラインを構成し、また温水供給ライン４６、温水分岐供給ライン５２、温水分岐戻りライン５６及び温水戻りライン４８が、熱源機６からの温水をミスト噴霧装置４のミスト用熱交換器１２を通して循環するためのミスト用温水ラインを構成する。
【００２９】
この実施形態では、更に、温水供給ライン４６に第３温度センサ５８が設けられ、この第３温度センサ５８は、温水供給ライン４６から温水分岐供給ライン５０，５２に流れる温水の温度を検知する。また、温水分岐供給ライン５０には、例えば熱動弁から構成される温風用制御弁６０が配設され、温風用制御弁６０は温水分岐供給ライン５０を通して暖房用熱交換器８に供給される温水の供給、供給停止を行うとともに、その供給の送給量も制御する。更に、温水分岐戻りライン５６にはミスト用制御弁６２が配設され、このミスト用制御弁６２はミスト用熱交換器１２から温水分岐戻りライン５６を通して戻される温水の送給、送給停止を行うとともに、その戻りの送給量も制御する。
【００３０】
ミスト噴霧装置４は、更に、次のように構成されている。即ち、ミスト用熱交換器１２の二次側の入力部には給水ライン６４が接続され、この給水ライン６４には給水弁６６が配設される。給水ライン６４は、例えば水道管（図示せず）に接続され、例えば水道水が給水ライン６４を通してミスト用熱交換器１２に供給される。また、ミスト用熱交換器１２の二次側の出力部には噴霧用温水供給ライン６８が接続され、この噴霧用温水供給ライン６８を介して噴霧ノズル７０が設けられ、給水ライン１２からの水道水は、ミスト用熱交換器１２で後述する如く加温され、噴霧用温水供給ライン６８を通して供給されて噴霧ノズル７２から浴室内に向けてミスト状に噴霧される。噴霧用温水供給ライン６８にはミスト弁７２及び第４温度センサ７３が配設され、ミスト弁７２は、噴霧用温水供給ライン６８を通しての温水の供給、供給停止を制御するとともに、そこを通して流れる温水の送給量を制御し、第４温度センサ７３は、噴霧用温水供給ライン６８を通して流れる水（又は温水）の温度を検知する。
【００３１】
更に、噴霧用温水供給ライン６８（具体的には、ミスト弁７２より上流側の部位）には排水ライン７４が分岐するように接続され、かかる排水ライン７４に排水弁７６が設けられ、この排水弁７６は、排水ライン７４を通しての排水、排水停止を制御する。
【００３２】
更に、この浴室暖房乾燥機では、暖房乾燥機本体２に第５温度センサ７８が設けられ、この第５温度センサ７８は浴室内の温度を検知する。また、ミスト噴霧装置４に関連して、ブザーなどの警報手段８０が設けられ、この警報手段８０は後述するようにミスト噴霧装置４の給水ライン６４への誤接続を警報する。
【００３３】
上述した浴室暖房乾燥機は、図２に示す制御系によって作動制御される。暖房乾燥機本体２は浴室暖房用リモコン８１によって作動制御され、またミスト噴霧装置４はミストサウナ用リモコン８２によって作動制御される。浴室暖房用及びミストサウナ用リモコン８０，８２は、電源のオン（ＯＮ）、オフ（ＯＦＦ）を制御するための電源スイッチ８４と、温度を設定するための温度設定手段８６などを含んでいる。これらリモコン８０，８２からの操作信号はコントローラ８８に送給され、また第１〜第５温度センサ２２，３０，５８，７３，７８からの検知信号もコントローラ８８に送給され、コントローラ８８はこれら操作信号及び検知信号に基づいて暖房乾燥機本体２、ミスト噴霧装置４及び熱源機６を後述する如く制御する。
【００３４】
コントローラ８８は、例えばマイクロコンピュータから構成され、作動制御手段９０、温度比較手段９２、異常判定手段９４、異常信号生成手段９６、タイマ手段９８及びメモリ手段１００を含んでいる。作動制御手段９０は暖房乾燥機本体２及びミスト噴霧装置４などを制御する。メモリ手段１００には、誤接続を検知するときに用いる設定異常温度（例えば、４５℃前後に設定される）、排水運転を行う排水運転時間（例えば、３０秒程度に設定される）、誤接続を判定する際に用いる設定時間（例えば、１５秒程度に設定される）などが登録される。
【００３５】
温度比較手段９２は、第４温度センサ７３の検知温度（噴霧用温水供給ライン６８を流れる温水の温度）とメモリ手段１００に登録された設定異常温度とを比較し、異常判定手段９４は、第４温度センサ７３の検知温度が上記設定異常温度を超えると誤接続で異常であると判定し、異常信号生成手段９６は、異常判定手段９４が異常と判定すると異常信号を生成し、この実施形態では、温度比較手段９２、異常判定手段９４及び異常信号生成手段９６が、ミスト噴霧装置４の給水ライン６４への誤接続を検知するための誤接続検知手段を構成する。
【００３６】
上述した浴室暖房乾燥機における給水ライン６４への誤接続の検知は、排水運転において図５に示すように行われる。図１及び図２とともに図５を参照して、ミストサウナ運転を行うためにミストサウナ用リモコン８２の電源スイッチ８４をオン操作すると、ミスト噴霧装置４によるミストサウナ運転が行われる（ステップＳ１）。このミストサウナ運転においては、まず、ミスト用熱交換器１２内の水を外部に排水する排水運転が行われる。この排水運転においては、給水弁６６が開状態になり（ステップＳ２）、排水弁７６が開状態になり（ステップＳ３）、ミスト用熱交換器１２内の水が噴霧用温水供給ライン６８及び排水ライン７４を通して外部に排出されるとともに、給水ライン６４を通して例えば水道水がミスト用熱交換器１２に供給され、このようにしてミスト用熱交換器１２内の水が新しいものとなる。
【００３７】
このようにして水の排水が開始されると、タイマ手段９８が作動し（ステップＳ４）、第４温度センサ７３は噴霧用温水供給ライン６８を流れる水（即ち、排水される水）の温度を検知し（ステップＳ５）、第４温度センサ７３の検知信号がコントローラ８８に送給される。
【００３８】
かくすると、温度比較手段９２は、第４温度センサ７３の検知温度とメモリ手段１００に登録された設定異常温度とを比較し、異常判定手段９４は温度比較手段９２による比較結果に基づいて異常接続か否かを判定する（ステップＳ６）。給水ライン６４に例えば水道管（図示せず）が正しく接続されている場合、給水ライン６４を通して水道水が供給されるために、第４温度センサ７３の検知温度は、図３に実線Ａで示すように実質上変化することはない。これに対して、この給水ライン６４に熱源機６の給湯出力部（図示せず）が誤接続されている場合、給水ライン６４を通して熱源機６からの給湯水（例えば、６０℃の温水）が供給されるために、第４温度センサ７３の検知温度は、図３に一点鎖線Ｂで示すように変化し、排水運転の初期においては、時間の経過とともに第４温度センサ７３の検知温度が上昇し、ミスト用熱交換器１２内の水が全て排水された後は、検知温度は一定温度（例えば、６０℃）となる。
【００３９】
第４温度センサ７３の検知温度が上記設定異常温度以下であるときには、給水ライン６４へ正しく接続され、排水ライン７４を通して排水される水の温度上昇がないということであり、この場合、ステップＳＳ６からＳ７に進み、タイマ手段９８が排水運転時間（メモリ手段１００に登録されている）を計時してタイムアップするまでステップＳ５に戻り、第４温度センサ７３による温度検知、検知温度に基づく異常判定が繰り返し遂行され、タイムアップするとステップＳ８に移る。
【００４０】
また、第４温度センサ７３の検知温度が上記設定異常温度を超えると、異常判定手段９４は誤接続で異常と判定し、異常信号生成手段９６は異常信号を生成する（ステップＳ９）。かくすると、コントローラ８８はこの異常信号に基づいて警報手段８０を作動し（ステップＳ１０）、警報手段８０は、給水ライン６４への接続状態が正しく行われていないことを警報する。そして、コントローラ８８は給水弁６６を閉状態にし、給水ライン６４を通しての給水が停止する（ステップＳ１１）。
【００４１】
排水運転が終了してステップＳ８に移ると、排水弁７６が閉状態になり、排水ライン７４を通しての排水が終了し、この排水運転終了後にミスト温度制御運転が行われる。このミスト温度制御運転においては、後述するように、噴霧ノズル７０からミストの噴霧が行われ、浴室を利用してミストサウナ効果が得られる。このようなミスト温度制御運転は、ミストサウナ運転が終了するまで行われる。
【００４２】
また、上述したミスト温度制御運転（ステップＳ１２）においても、給水ライン６４への誤接続の検知は、図６に示すように行われる。図１及び図２とともに図６を参照して、このミスト温度制御運転が開始されると、ミスト用制御弁６２が開状態となり（ステップＳ１２−１）、またミスト弁７２が開状態となる（ステップＳ１２−２）。かくすると、熱源機６からの温水（例えば、８０℃の温水）が温水供給ライン４６、温水分岐供給ライン５２、ミスト用熱交換器１２（一次側流路）、温水分岐戻りライン５６及び温水戻りライン４８を通して循環され、また給水ライン６４からの例えば水道水がミスト用熱交換器１２（二次側流路）に供給され、このミスト用熱交換器１２にて熱交換が行われ、加温された温水が噴霧用温水供給ライン６８を通して噴霧ノズル７０に供給され、この噴霧ノズル７０からミスト状に浴室内に噴霧され、これによってミストサウナ効果が得られる。
【００４３】
このようにして噴霧用温水供給ライン６８を通して温水が流れると、第５温度センサ７８が浴室内の温度を検知し（ステップＳ１２−３）、第５温度センサ７８の検知温度が浴室暖房用リモコン８１の温度設定手段８６により設定した設定温度を超えると、ステップＳ１２−４からステップＳ−５に進む。かくすると、ミスト用制御弁６２が閉状態になり（ステップＳ１２−５）、熱源機６からミスト用熱交換器１２を通しての温水の循環が停止し、給水ライン６４を通して供給される水道水の加温が一時的に停止する。
【００４４】
このように温水の循環が停止すると、タイマ手段９８が作動し（ステップＳ１２−６）、タイマ手段９８が上記設定時間（メモリ手段１００に登録されている）を計時してタイムアップするまではステップＳ１２−７からステップＳ１２−８に移る。一方、タイマ手段９８がタイムアップすると、ステップＳ１２−７からステップＳ１２−９に進み、第４温度センサ７３が噴霧用温水供給ライン６８を流れる温水（即ち、噴霧ノズル７０から噴霧される温水）の温度を検知する。
【００４５】
かくすると、上述したと同様に、温度比較手段９２は、第４温度センサ７３の検知温度と上記設定異常温度とを比較し、異常判定手段９４は温度比較手段９２による比較結果に基づいて異常接続か否かを判定する（ステップＳ１２−１０）。給水ライン６４に例えば水道管（図示せず）が正しく接続されている場合、給水ライン６４を通して水道水が供給されるために、第４温度センサ７３の検知温度は、図４に実線Ｃで示すように変化し、ミスト用制御弁６２が閉状態になった初期においては、時間の経過とともに第４温度センサ７３の検知温度が下降し、ミスト用熱交換器１２内の温水が給水ライン６４を通して供給される水道水とほぼ同じ温度になった後は、検知温度は一定温度（例えば１５℃前後）となる。これに対して、この給水ライン６４に熱源機６の給湯出力部（図示せず）が誤接続されている場合、給水ライン６４を通して熱源機６からの給湯水（例えば、６０℃の温水）が供給されるために、第４温度センサ７３の検知温度は、図４に一点鎖線Ｄで示すように変化し、ミスト用制御弁６２が閉状態になった初期のわずかな期間において時間の経過とともに第４温度センサ７３の検知温度が幾分低下する（例えば、５℃前後）低下するが、その後一定の温度（例えば６０℃程度）となる。
【００４６】
第４温度センサ７３の検知温度が上記設定異常温度以下であるときには、給水ライン６４へ正しく接続され、給水ライン６４からの水道水によって噴霧用温水供給ライン６８を流れる温水の温度が所要の通りに低下したということであり、この場合、ステップＳ１２−１０からステップＳ−８に移り、ミスト温度制御運転が終了するまでステップＳ１２−３に戻り、ミスト温度制御運転が継続して行われる。そして、第５温度センサ７８の検知温度（浴室温度）がミストサウナ用リモコン８２による設定温度以下になると、ステップＳ１２−４からステップＳ１２−１１に移り、ミスト用制御弁６２が開状態になり、熱源機６からの温水がミスト用熱交換器１２を通して循環され、給水ライン６４からの水道水はミスト用熱交換器１２にて加温されて噴霧用温水供給ライン６８を通して噴霧ノズル７０に供給される。
【００４７】
また、第４温度センサ７３の検知温度が上記設定異常温度を超えると、上述したと同様に、異常判定手段９４は誤接続で異常と判定し、異常信号生成手段９６は異常信号を生成し（ステップＳ１２−１２）、コントローラ８８はこの異常信号に基づいて警報手段８０を作動し（ステップＳ１２ー１３）、そして、給水弁６６が閉状態となる（ステップＳ１２−１４）。
【００４８】
この浴室暖房乾燥機においては、上述したように、排水運転を利用して、またミスト温度制御運転を利用して、ミスト噴霧装置４の給水ライン６４への誤接続を自動的に検知することができる。
【００４９】
以上、本発明に従う浴室暖房乾燥機の一実施形態について説明したが、本発明はかかる実施形態に限定されるものではなく、本発明の範囲を逸脱することなく種々の変形乃至修正が可能である。
【００５０】
例えば、上述した実施形態では、排水運転中に誤接続を検知するために用いる設定異常温度と、ミスト温度制御運転中に誤接続を検知するために用いる設定異常温度とを同じ温度に設定しているが、これらの設定異常温度を異なる温度に設定してもよい。
【００５１】
また、例えば、上述した実施形態では、排水運転及びミスト温度制御運転の双方の運転状態において給水ライン６４への誤接続を検知しているが、排水運転及びミスト温度制御運転のいずれか一方の運転状態において上述した誤接続を検知するようにしてもよい。
【図面の簡単な説明】
【００５２】
【図１】本発明に従う浴室暖房乾燥機の一実施形態を簡略的に示すシステム図。
【図２】図１の浴室暖房乾燥機の制御系を簡略的に示すブロック図。
【図３】図１の浴室暖房乾燥機におけるミスト噴霧装置の排水動作中における時間と排水される水の温度との関係を示す図。
【図４】ミスト噴霧装置のミスト温度制御運転においてミスト用制御弁が閉状態に保持された時間と噴霧用温水供給ラインに供給される温水の温度との関係を示す図。
【図５】排水動作時における制御の流れを示すフローチャート。
【図６】ミスト温度制御運転における制御の流れを示すフローチャート。
【符号の説明】
【００５３】
２  暖房乾燥機本体
４  ミスト噴霧装置
６  給湯機能付き熱源機
８  暖房用熱交換器
１２  ミスト用熱交換器
４６  温水供給ライン
４８  温水戻りライン
６０  温風用制御弁
６２  ミスト用制御弁
６４  給水ライン
６６  給水弁
６８  噴霧用温水供給ライン
７０  噴霧ノズル
７２  ミスト弁
７４  排水ライン
７６  排水弁
８８  コントローラ
９２  温度比較手段
９４  異常判定手段
９６  異常信号生成手段
【図１】
2008241058.tif 000003
【図２】
2008241058.tif 000004
【図３】
2008241058.tif 000005
【図４】
2008241058.tif 000006
【図５】
2008241058.tif 000007
【図６】
2008241058.tif 000008